(57)【要約】【課題】迅速かつ楽に土壌を掘り起こすことができ、かつ使用容易な土起こし器を提供する。【解決手段】土起こし器は、組立フレーム１０と、ツールヘッド２０と、２つの弾性部材３０とを備える。組立フレーム１０は、全体的に逆Ｕ字状に形成され、互いに平行な２つの枢着バー１１を有し、一側に開放口１２が、頂端に把持部１３を有する。枢着バー１１の末端には、回転軸１４が可動可能にそれぞれ枢着され、回転軸１４より高い位置に固定部１５が設けられる。ツールヘッド２０は、接続バー２１と、その下方に位置する掘り起こし部２２と、上方に位置する押圧端２３とを有する。接続バー２１の両側には、組立フレーム１０の２つの枢着バー１１に対応するように枢着部２４が設けられるとともに回転軸１４が挿通され、ツールヘッド２０は回転軸１４を軸心として偏心回転する。押圧端２３の両外側には、結合部２３１が対称的に設けられる。【選択図】図２
0003207858.tif 000002
【実用新案登録請求の範囲】
【請求項１】
組立フレームと、ツールヘッドと、２つの弾性部材と、を備えた土起こし器であって、
前記組立フレームは、全体的に逆Ｕ字状に形成され、互いに平行な２つの枢着バーを有するとともに、一側に開放口が形成され、頂端に把持部を有し、前記枢着バーの末端には、回転軸が可動可能にそれぞれ枢着され、前記回転軸より高い位置に固定部が設けられ、
前記ツールヘッドは、水平な接続バーと、前記接続バーの下方に位置する掘り起こし部と、前記接続バーの上方に位置する押圧端と、を有し、前記接続バーの両側には、前記組立フレームの前記２つの枢着バーに対応するように枢着部が設けられるとともに前記回転軸が挿通され、前記ツールヘッドは前記回転軸を軸心として偏心回転し、前記押圧端の両外側には、結合部が対称的に設けられ、
前記弾性部材は、弾性巻取り部と、２つの接続杆部と、を有し、前記弾性巻取り部には、前記回転軸が固着位置決めされ、前記枢着バーの前記固定部は、前記２つの接続杆部を介して前記ツールヘッドの前記押圧端の両外側の前記結合部にそれぞれ接続されることを特徴とする土起こし器。
【請求項２】
前記組立フレームの前記把持部の中央部には、上方へ延びるように握り部が延設されていることを特徴とする請求項１に記載の土起こし器。
【請求項３】
前記接続バーの両側に設けられる前記枢着部は、互いに平行な２つの組立板体により構成されることを特徴とする請求項１に記載の土起こし器。
【請求項４】
前記ツールヘッドの掘り起こし部は、スコップ、爪部又は馬鍬であることを特徴とする請求項１乃至３の何れか１項に記載の土起こし器。
【考案の詳細な説明】
【技術分野】
【０００１】
本考案は、土起こし器に関するものであり、さらに詳しくは、迅速かつ楽に土壌を掘り起こすことができ、使用容易な土起こし器に関するものである。
【背景技術】
【０００２】
一般の手作業で使用する農具としては、農業・園芸に使用する土起こし器を挙げることができる。かかる土起こし器は、握部の前端側に、爪状の爪部が固設された構造を有するものであり、使用者はこれを用いて、土壌を掘り起こして土起こしすることができるが、従来の土起こし器によれば、土壌を掘り起こす際、両手で土起こし器の把持部を強く握り、力を繰り返して下方へ加えて土壌を掘り起こすが、土壌を掘り起こす際に発生する下向きの掘る力に対し、反作用力が生じ、これに対し、手及び腕の力により掘り起こす必要があった。そのため、使用者は使用する際に大きな力が必要となり、手部が疲れやすくなる上、筋肉が硬くなったり痛くなったりして時間及び労力が多くかかるという問題があった。
【考案の概要】
【考案が解決しようとする課題】
【０００３】
従って、本考案の主な課題は、土壌を掘り起こすのに必要な腕及び手の力を低減させ、迅速かつ楽に土壌を掘り起こすことができる土起こし器を提供することにある。
【課題を解決するための手段】
【０００４】
そこで、本考案者は、前記の本考案の課題を解決するために、鋭意検討を重ねた結果、
回転軸を介してツールヘッドと組立フレームとを組み合わせ、ツールヘッドが回転軸を軸心として回転し、ツールヘッドに設けた掘り起こし部と押圧端とを２段方式で作動させるとともに、弾性部材を利用してツールヘッドを弾性回復力により復位させることにより、掘り起こすのに必要な腕及び手の力を減らし、迅速かつ楽に土壌を掘り起こすことができる、土起こし器を提供できることに着目し、本考案に想到するに至った。
【０００５】
かくして、本考案の要旨は、次に記載の通りとなる。
（１）組立フレームと、ツールヘッドと、２つの弾性部材と、を備えた土起こし器であって、
前記組立フレームは、全体的に逆Ｕ字状に形成され、互いに平行な２つの枢着バーを有するとともに、一側に開放口が形成され、頂端に把持部を有し、前記枢着バーの末端には、回転軸が可動可能にそれぞれ枢着され、前記回転軸より高い位置に固定部が設けられ、
前記ツールヘッドは、水平な接続バーと、前記接続バーの下方に位置する掘り起こし部と、前記接続バーの上方に位置する押圧端と、を有し、前記接続バーの両側には、前記組立フレームの前記２つの枢着バーに対応するように枢着部が設けられるとともに前記回転軸が挿通され、前記ツールヘッドは前記回転軸を軸心として偏心回転し、前記押圧端の両外側には、結合部が対称的に設けられ、
前記弾性部材は、弾性巻取り部と、２つの接続杆部と、を有し、前記弾性巻取り部には、前記回転軸が固着位置決めされ、前記枢着バーの前記固定部は、前記２つの接続杆部を介して前記ツールヘッドの前記押圧端の両外側の前記結合部にそれぞれ接続されることを特徴とする土起こし器。
【０００６】
（２）前記組立フレームの前記把持部の中央部には、上方へ延びるように握り部が延設されていることを特徴とする前記（１）に記載の土起こし器。
【０００７】
（３）前記接続バーの両側に設けられる前記枢着部は、互いに平行な２つの組立板体により構成されることを特徴とする前記（１）に記載の土起こし器。
【０００８】
（４）前記ツールヘッドの掘り起こし部は、スコップ、爪部又は馬鍬であることを特徴とする前記（１）乃至（３）の何れか１項に記載の土起こし器。
【考案の効果】
【０００９】
本考案は、前記の通りの構成からなり、土壌を掘り起こすのに必要な腕及び手の力を低減させることができ、土壌を楽に掘り起こす構造を有する土起こし器を提供することができる。
【図面の簡単な説明】
【００１０】
【図１】図１は、本考案の一実施形態に係る土起こし器を示す斜視図である。
【図２】図２は、本考案の一実施形態に係る土起こし器を示す分解斜視図である。
【図３】図３は、本考案の一実施形態に係る土起こし器を示す組立側面図である。
【図４】図４は、本考案の一実施形態に係る土起こし器を示す組立断面図である。
【図５】図５は、本考案の他の実施形態に係る土起こし器のツールヘッドを示す斜視図である。
【図６】図６は、本考案の一実施形態に係る土起こし器を土壌に挿入したときの状態の説明図である。
【図７】図７は、本考案の一実施形態に係る土起こし器を足で踏んで土を掘り起こすときの状態の説明図である。
【考案を実施するための形態】
【００１１】
まず、図１〜図３を参照する。図１〜図３に示すように、本考案の一実施形態に係る土起こし器は、組立フレーム１０と、ツールヘッド２０と、２つの弾性部材３０と、を含む。組立フレーム１０は、全体的に逆Ｕ字状に形成され、互いに平行な２つの枢着バー１１を有するとともに、一側に開放口１２が形成され、頂端に横杆状の把持部１３が形成され、把持部１３の中央部には、上方へ延びるように握り部１３１が延設されている。２つの枢着バー１１の末端には、回転軸１４が可動可能に枢着され、回転軸１４より高い位置には固定部１５が設けられる。ツールヘッド２０は、水平な接続バー２１と、接続バー２１の下方に位置する掘り起こし部２２と、接続バー２１の上方に位置する押圧端２３と、を含む。接続バー２１の両側には、組立フレーム１０の２つの枢着バー１１に対応する枢着部２４が設けられるとともに、回転軸１４が挿通され、ツールヘッド２０は回転軸１４を軸心として偏心回転する。掘り起こし部２２は、スコップである。押圧端２３の両外側には、結合部２３１が対称的に設けられる。２つの弾性部材３０は、弾性巻取り部３１と、２つの接続杆部３２と、を有する。弾性巻取り部３１には、回転軸１４が固着位置決めされる。枢着バー１１の固定部１５は、２つの接続杆部３２を介してツールヘッド２０の押圧端２３の両外側の結合部２３１にそれぞれ接続される。
【００１２】
図１〜図４を参照する。図１〜図４に示すように、ツールヘッド２０は、接続バー２１の両端に設けられた枢着部２４が２つの組立フレーム１０の両側の枢着バー１１に取り付けられ、回転軸１４を介して螺着される。接続バー２１の両側に設けられた枢着部２４は、互いに平行な２つの組立板体２４１により構成され、組立フレーム１０の２つの枢着バー１１は、２つの組立板体２４１間に配設され、回転軸１４を介して螺着され、ツールヘッド２０と組立フレーム１０とが組み合わされ、ツールヘッド２０は、回転軸１４を軸心として回転する。ツールヘッド２０と組立フレーム１０との間には、２つの弾性部材３０が配設される。２つの弾性部材３０の巻取り部３１には、回転軸１４が固着され、弾性部材３０の２つの接続杆部３２は、枢着バー１１の固定部１５と、押圧端２３の結合部２３１とにそれぞれ固着され、ツールヘッド２０が弾性回復力により復位する。
【００１３】
図５を参照する。図５に示すように、本考案の他の実施形態に係る土起こし器のツールヘッド２０の掘り起こし部２２は、爪又は馬鍬でもよい。
【００１４】
図１、図６及び図７を参照する。図１、図６及び図７に示すように、実際に使用する際、使用者は把持部１３又は握り部１３１を両手で握持し、土壌に対して斜めにツールヘッド２０を適宜な深さまで挿入し（図４を参照する。）、握り部１３１を手で握って引き起こし、ツールヘッド２０と組立フレーム１０とのなす角度により、上へ延びた押圧端２３を利用し、使用者が力を加えて足で踏むと掘り起こし部２２により土壌を楽に掘り起こすことができ、使用者の足部が押圧端２３から外されると、ツールヘッド２０の押圧端２３が弾性部材３０の弾性回復力により復位し、使用者が再び押圧端２３を踏んで力を加えることにより上述した掘り起こし動作を繰り返し、土起こし作業を行う。このように、ツールヘッド２０に設けた掘り起こし部２２と押圧端２３とを２段方式で作動させる。このような構成により、本考案の土起こし器は、土壌を掘り起こすのに必要な腕及び手の力を減らし、土壌を楽に掘り起こすことができる。
【符号の説明】
【００１５】
１０  組立フレーム
１１  枢着バー
１２  開放口
１３  把持部
１４  回転軸
１５  固定部
１６  握持部
２０  ツールヘッド
２１  接続バー
２２  掘り起こし部
２３  押圧端
２４  枢着部
３０  弾性部材
３１  巻取り部
３２  接続杆部
１３１  握り部
２３１  結合部
２４１  組立板体
【図１】
0003207858.tif 000003
【図２】
0003207858.tif 000004
【図３】
0003207858.tif 000005
【図４】
0003207858.tif 000006
【図５】
0003207858.tif 000007
【図６】
0003207858.tif 000008
【図７】
0003207858.tif 000009